(57)【特許請求の範囲】
【請求項１】
データ処理単位であるデータブロック単位で画像データを記録しているテープ媒体から前記データブロックを読み出して特殊再生を行うディジタル画像再生装置であって、論理的に少なくとも２つの面に分割してアクセスされるメモリと、特殊再生に用いる前記データブロックを前記テープ媒体から所定の順番に読み出して前記メモリのうち前記データブロックを格納するよう設定されている入力面に格納する読み出し手段と、前記メモリのうち前記データブロックを読み出すよう設定されている出力面に格納されている前記データブロックを前記所定の順番とは異なった順番に読み出して復号する復号手段と、前記出力面から読み出された前記データブロックの前記画像データの画像１フレームにおける位置と同位置に対応する、前記入力面に格納されている前記データブロックが既に前記復号手段によって読み出されている場合、前記出力面から読み出された前記データブロックを前記入力面に格納するメモリ管理手段とを備えたことを特徴とするディジタル画像再生装置。
【請求項２】
前記データブロックは、前記画像データの画像１フレームを所定の規則に従って分割したものであり、前記データブロックは、前記データブロックを識別し、前記データブロックの前記画像１フレームにおける位置に対応つけられている識別番号を有し、前記メモリ管理手段は、前記識別番号を利用して、前記同位置に対応する、前記入力面に格納されている前記データブロックが既に復号手段によって読み出されているかどうかを判定することを特徴とする請求項１記載のディジタル画像再生装置。
【請求項３】
前記メモリ管理手段は、所定の周期毎に、前記メモリの面のうち、前記入力面と前記出力面の設定を更新し、前記更新された後の前記出力面は、前記更新される前の前記入力面に設定し、前記更新された後の前記入力面は、前記更新される前の前記入力面以外の面に設定することを特徴とする請求項１または２に記載のディジタル画像再生装置。
【請求項４】
前記メモリの１つの面には、前記データブロックが１フレーム分格納され、前記所定の周期は、１フレーム周期であることを特徴とする請求項３記載のディジタル画像再生装置。
【請求項５】
データ処理単位であるデータブロック単位で画像データを記録しているテープ媒体から前記データブロックを読み出して特殊再生を行うディジタル画像再生装置であって、前記画像データの画像１フレームにおける各位置毎にその位置に対応する互いに異なったデータブロックを少なくとも２つの領域に格納するメモリと、特殊再生に用いる前記データブロックを前記テープ媒体から所定の順番に読み出して、前記データブロックの前記画像１フレームの位置と同位置に対応する前記メモリの領域のうち、前記データブロックを格納するよう設定されている領域に読み出した前記データブロックを格納する読み出し手段と、前記所定の順番とは異なった順番に前記メモリの領域のうち、前記データブロックを読み出すよう設定されている領域から前記データブロックを読み出して復号する復号手段と、前記画像１フレームの同位置に対応する前記データブロックを格納している前記メモリの領域のうち、一方の領域から前記データブロックが読み出された場合、他方の領域のデータブロックが既に前記復号手段によって読み出されている場合、前記他方の領域を前記読み出し手段が格納する領域に設定し、前記一方の領域を前記復号手段が読み出す領域に設定するメモリ管理手段とを備えたことを特徴とするディジタル画像再生装置。
【請求項６】
前記データブロックは、前記画像データの画像１フレームを所定の規則に従って分割したものであり、前記データブロックは、前記データブロックを識別し、前記データブロックの前記画像１フレームにおける位置に対応付けられている識別番号を有し、前記メモリ管理手段は、前記識別番号を利用して、前記設定を行うことを特徴とする請求項５記載のディジタル画像再生装置。
【請求項７】
前記メモリ管理手段は、所定の周期毎に前記画像１フレームの各位置毎に同位置に対応する前記データブロックが格納されている領域の前記設定を更新し、前記更新された後の前記復号手段が読み出す領域は、前記更新される前の前記読み出し手段が格納する領域に設定し、前記更新された後の前記読み出し手段が格納する領域は、前記更新される前の前記読み出し手段が格納する領域以外の領域に設定することを特徴とする請求項５または６に記載のディジタル画像再生装置。
【請求項８】
前記メモリには、前記データブロックが２フレーム分格納され、前記所定の周期は、１フレーム周期であることを特徴とする請求項７記載のディジタル画像再生装置。
【請求項９】
前記メモリ管理手段は、前記画像１フレームの各位置毎に、その位置に対応する前記データブロックを格納する領域の前記設定を更新するための入力ポインタおよび出力ポインタと、その位置に対応する前記データブロックを格納する領域のうち、いずれの領域から前記データブロックを出力するかを示す第１の出力候補フラグおよび第２の出力候補フラグと、その位置に対応する前記データブロックを格納する領域のうち、いずれの領域に前記データブロックを格納するかを示す入力候補フラグとを有し、前記読み出し手段が前記データブロックに対応する前記画像１フレームの位置と同位置に対応する前記データブロックを格納する領域に格納する際、前記メモリ管理手段は、前記入力候補フラグが示す領域を前記読み出し手段が格納する領域に設定し、前記第１および第２の出力候補フラグのうち、前記入力ポインタが示す方の出力候補フラグに前記入力候補フラグが示す値をコピーし、前記入力候補フラグが示す領域を、前記入力候補フラグが示す領域とは異なった領域に設定し、前記復号手段が前記画像１フレームの同位置に対応する前記データブロックを格納している前記メモリの領域から前記データブロックを読み出す際、前記メモリ管理手段は、前記第１および第２の出力候補フラグのうち、前記出力ポインタが示す出力候補フラグが示す領域を前記復号手段が読み出す領域に設定し、前記第１および第２の出力候補フラグのうち、前記入力ポインタが示す出力候補フラグが示す領域に格納されている前記データブロックが既に読み出されている場合、前記出力ポインタが示す出力候補フラグの値を前記入力ポインタが示す候補フラグにコピーすることを特徴とする請求項７または８に記載のディジタル画像再生装置。
【請求項１０】
前記メモリ管理手段は、前記第１および第２の出力候補フラグのうち、前記出力ポインタが示す出力候補フラグが示す領域を前記復号手段が読み出す領域に設定した時、前記第１および第２の出力候補フラグのうち、前記入力ポインタが示す出力候補フラグが示す領域に格納されている前記データブロックがまだ読み出されていない場合、前記入力ポインタが示す候補フラグを更新しないことを特徴とする請求項９記載のディジタル画像再生装置。
【請求項１１】
請求項１または５に記載のディジタル画像再生装置の手段の機能をコンピュータにより実行させるためのプログラムを担持した記録媒体であって、コンピュータにより処理可能なことを特徴とする記録媒体。
【発明の詳細な説明】
【０００１】
【発明の属する技術分野】
本発明は、磁気テープに記録されたディジタル画像データを再生するディジタル画像再生装置において、通常速度より速い速度で再生し画像出力する高速再生に関するものである。
【０００２】
【従来の技術】
近年、磁気記録再生技術と画像データの高効率圧縮技術の発達に伴い、ビデオテープレコーダーのディジタル化が進んできている。これらの装置では通常記録再生だけではなく、ＶＨＳなどの従来のアナログビデオテープレコーダーと同様に高速再生の実現が必要である。しかし、圧縮したディジタル画像データのヘリカルスキャンによる磁気テープへの記録再生方式では、高速再生の画像が一般的には望ましいものではなく、その画質改善が重要な課題の一つである。
【０００３】
ディジタルビデオテープレコーダーの規格の一つとして、現在ではビデオカメラのフォーマットの主流となっているＤＶフォーマットが挙げられる。
【０００４】
以下、ＤＶフォーマットに基づくディジタル画像再生装置における高速再生の従来例を説明する。
【０００５】
図１４は、この従来のディジタル画像再生装置の構成を示すブロック図である。
【０００６】
磁気テープ駆動部１２は、通常速度あるいは高速度で磁気テープ１１を駆動する。
【０００７】
シリンダ１３に装着された１組のヘッド１４ａと１４ｂは、磁気テープ１１をスキャンして信号を再生する。ヘッド１４ａと１４ｂからの再生出力であるデータブロックは端子Ａを経て誤り訂正部１５に接続される。
【０００８】
誤り訂正部１５は、入力したデータブロックに対して誤り訂正処理を施し、訂正処理後のデータブロックと訂正結果を取り込み選択スイッチ１６に出力する。
【０００９】
取り込み選択スイッチ１６は、入力した訂正結果に応じて開閉し、信頼できる訂正結果をもつデータブロックのみを入力制御部３７１に出力する。
【００１０】
入力制御部３７１は、取り込み選択スイッチ１６が出力したデータブロックに対して、データブロックがもつ識別番号よりアドレスを生成し、メモリ３７０にデータブロックを書き込む。
【００１１】
出力制御部３７２は、伸張処理部１８に出力するデータブロックがもつ識別番号よりアドレスを生成し、メモリ３７０からデータブロックを読み出して伸張処理部１８に出力する。
【００１２】
伸張処理部１８は、入力したデータブロックに対して伸張処理を施し、出力メモリ１９に書き込む。出力メモリ１９に一旦記憶されたデータは、端子Ｂから画像出力される。
【００１３】
以上のように構成された従来のディジタル画像再生装置について、まずその磁気テープ１１上の記録形態を説明し、次にその動作に関して、順方向の高速再生動作（以下キュー動作と略す）について順次説明する。
【００１４】
本従来例では、磁気テープ１１の記録形態は上述したＤＶフォーマットに基づくものであるが、まず、図２、図３、図４を用いて磁気テープ１１の記録形態と出力画像との対応関係を説明する。
【００１５】
図２は磁気テープ１１の記録形態を示す形状図である。１フレームの画像データは１３５０個のデータブロックで構成され、磁気テープ１１上では、図２に示すように１０本のトラックに分割記録されている。各トラックに１３５個のデータブロックが含まれる。図中のデータブロック（０、１）とは、データブロックの識別番号を表し、第０トラックの第１データブロックを意味するものとする。ＤＶフォーマットによれば、磁気テープ１１には画像データ以外にも音声データや付随情報のデータブロックが記録されているが、本従来例とは直接の関係がないので省略する。
【００１６】
図３は１フレームの画面の構造を示す構造図である。図３で１フレームの画面は１３５０個のマクロブロックと呼ばれる矩形領域に分割され、個々のマクロブロックが図２の磁気テープ１１上のデータブロックに対応する。また、磁気テープ１１上の１本のトラックに記録される１３５個のデータブロックは、画面上で図３に示すように一本の帯状の領域に整列するマクロブロックに対応している。
【００１７】
図４は、５個のマクロブロックから構成されるビデオセグメントの中でのデータ圧縮の形態を示す構造図である。図４で、１つのビデオセグメントは、データブロック（２、５５）、データブロック（６、２８）、データブロック（８、８２）、データブロック（０、１）、データブロック（４、１０９）に対応するマクロブロックに対応し、これは図３でハッチング部分で示すように画面上互いに離れた位置関係にある５つのマクロブロックから構成されている。また、ビデオセグメントは、図４で３０個の圧縮単位のデータに分割され、１つのデータブロックには６個の圧縮単位のデータが格納される。各圧縮単位は基礎データと高域データからなり、高域データは図中矢印Ｘに示すように１つのデータブロックから同一ビデオセグメントの他のデータブロックの空き領域に分割格納される構造となっている。そのため、基礎データと高域データからなるすべての圧縮データを使って伸張処理し、元の画像に復元しようとすれば、ビデオセグメントに含まれる５つのデータブロックが磁気テープ１１の同一フレームから再生され揃わなければならない。
【００１８】
逆に高速再生の場合など５つのデータブロックが同一フレームから揃わない場合、高域データを使用せず、基礎データのみから伸張処理することで、不完全ではあるが復元画像を得ることができる。
【００１９】
次に従来例の動作として、キュー動作について説明する。いま、磁気テープ駆動部１２が磁気テープ１１を通常速度に対して９．５倍の速度で駆動しており、シリンダ１３の回転速度は通常再生の場合と同じ速度であるとする。
【００２０】
図５はヘッド１４ａ、ヘッド１４ｂの中心点が磁気テープ１１上に描く、ある２回分のスキャン軌跡を示すものである。図５で、ヘッド１４ａの軌跡はシリンダ１３の半回転で描かれ、ヘッド１４ｂの軌跡は、それに続くシリンダ１３の半回転で描かれる。磁気テープ１１の駆動速度が９．５倍速であるから、ある一本のヘッド軌跡は９．５−１＝８．５本のトラックを横断することになり、また各スキャンの開始位置に当たるトラック番号は９．５−１０＝−０．５、即ち０．５ずつ小さくなることとなる。磁気テープ１１上のトラックは偶数番号のトラックはプラスアジマス角で、奇数番号のトラックはマイナスアジマス角でそれぞれ生成され、ヘッド１４ａはプラスアジマス角、ヘッド１４ｂはマイナスアジマス角を持つとすると、図５に示す２回のスキャンでは磁気テープ１１からハッチングで示した部分のデータブロックを再生することとなる。
【００２１】
誤り訂正部１５は、再生されたデータブロックを入力し、データブロック単位に誤り訂正処理を行い、訂正後のデータブロックを取り込み選択スイッチ１６へ送るとともに、訂正処理したデータブロックの処理後の信頼性が充分であれば取り込み選択スイッチ１６をオン状態とし、信頼性に欠けると判断すれば取り込み選択スイッチ１６をオフ状態とさせる。すなわち、誤り訂正処理を受けたデータブロックは、誤りのないもののみ取り込み選択スイッチ１６を経由して入力制御部３７１によりメモリ３７０に記憶されていく。
【００２２】
図６は、メモリ３７０に記憶されるデータブロックの分布図である。図６は、図３と同じく画面の位置関係と対応させて作図しておく。図６において、数字で示されているのは磁気テープ１１上のフレームの順番である。本従来例では、高速再生時において、メモリ３７０は１フレーム分の領域（面）のみが使用され、誤り訂正部１５からのデータブロックの書き込みおよび伸張処理部１８へのデータブロックの読み出しは、高速再生動作中ずっと単一面に対して行われる。図５に示した２回分のスキャンによる再生データブロックはメモリ３７０上で図６のハッチングに示した部分に、即ちヘッドの軌跡とアジマス角の関係に対応して右下がりの帯状の領域に格納される。また、２０回のスキャンを繰り返すことによって図６の全体の状態になり、メモリ３７０上で１フレーム全体のデータが更新される。また、一回スキャンが進む毎に更新される帯状の領域が０．５トラック幅分だけ画面上、上に移動することとなっている。
【００２３】
伸張処理部１８は、出力制御部３７２によりメモリ３７０からデータブロックを順次読み出し、伸張処理を行い、伸張結果である画像データを出力メモリ１９へ転送する。出力メモリ１９から画像の２フィールド分の信号がインターレース定義に従い順次端子Ｂを経由して出力される。ここで、伸張処理部１８の伸張処理は、図４のビデオセグメント単位であって、上述したように高域データを使用せず、基礎データのみから伸張処理するから、同一フレームのデータブロックが揃わない高速再生動作においても伸張処理に破綻を来さず正常な画像データに伸張できる。１つのビデオセグメントは、図３のハッチングに示したように１フレーム分のデータブロックの離れた５カ所から構成される。
【００２４】
図７は、伸張処理部１８が出力制御部３７２によりメモリ３７０から読み出すデータブロックの順を示す図である。図７で、伸張処理部１８は図中の番号順にデータブロックを読み出し、データブロック５個単位で伸張処理を実行し、出力メモリ１９の該当する位置に転送する。伸張処理部１８が１フレーム分のデータを読み出し、伸張処理完了するのは画像出力１フレームの時間、即ちＮＴＳＣであれば約１／３０秒を要する。この１フレームデータの読み出し順の特徴を要約すれば図７の矢印に示すように１フレーム時間を擁して画面を上から下へ読み出すこととなる。
【００２５】
図８は、画像出力フレームとヘッド１４ａ、１４ｂのスキャンのタイミング関係を示すタイミングチャートである。図８で、伸張処理部１８が上記１フレーム分のデータブロックをメモリ３７０から読み出している期間にヘッド１４ａとヘッド１４ｂはそれぞれ５回ずつ、合計１０回磁気テープ１１をスキャンしている。そのスキャンされたデータブロックは、やはりメモリ３７０へ記憶されていくから、メモリ３７０に対する伸張処理部１８によるデータブロックの読み出しと、誤り訂正部１５のデータブロック書き込みは同時に並行して実行されている。この結果、図８のＣに示した瞬間のメモリ３７０の状態は、例えば図６に示したように磁気テープ１１上のフレーム番号０からフレーム番号１８の１９フレームに渡るデータブロックの斜め方向の組み合わせで構成されているが、１０回のスキャンを終えた図８のＤのタイミングでは、新たに得られたフレーム番号１９からフレーム番号２８のデータブロックがフレーム番号０からフレーム番号８のデータブロックの位置に上書きされる形で記憶されるから、メモリ３７０はフレーム番号９からフレーム番号２８の２０フレーム分のデータブロックで構成されることとなる。ところで、メモリ３７０に対する誤り訂正部１５からのデータブロック書き込みと伸張処理部１８へのデータブロック読み出しはメモリ３７０の単一面に対して行われるので、図８のＣからＤの期間で入力されたデータブロックが、もしもメモリ３７０の該当する位置のデータブロックが伸張処理部１８に読み出されるよりも早くメモリ３７０に記憶された場合は、Ｄのタイミングには出力メモリ１９にも新しく再生されたデータブロックをもとにした画像データが転送されていることになる。逆に伸張処理部１８に読み出されるよりも遅くメモリ３７０に記憶された場合は出力メモリ１９には古いデータブロックをもとにした画像データが転送されている。このように、メモリ３７０の単一面に対して、入力と出力が並行して実行されるため、その相互関係により、Ｄのタイミングでの出力メモリ１９の状態は磁気テープ１１上のフレーム番号０からフレーム番号２８のうちの約３０フレームに渡るデータブロックをもとにした画像データの組み合わせで構成されることとなる。
【００２６】
図１０は、図８のＤのタイミングでのメモリ３７０の状態を表す図である。ハッチングを施された部分が図８のＣからＤの期間に磁気テープ１１から再生されたデータブロックに対応する部分である。
【００２７】
図１５は、図８のＤのタイミングでの出力メモリ１９の状態を表す図である。図１５は、図３、図６および図１０と同じく画面の位置関係と対応させて作図しておく。ハッチングを施された部分が図８のＣからＤの期間に磁気テープ１１から再生されたデータブロックに対応する部分である。
【００２８】
以上のように従来例のキュー動作では、メモリ３７０の単一の面に誤り訂正部１５からのデータブロックを書き込み、伸張処理部１８に同一面を読み出すことにより、画像圧縮された記録方式の磁気テープ１１を複数トラックにまたがる斜めスキャンする動作であるにも関わらず、メモリ３７０を使って再生されたデータブロックを再構成し、同一時刻のデータは画面上の近接部分に配置するから高速再生画像を出力可能となっている。
【００２９】
逆方向の高速再生動作（以下リビュー動作と略す）については、全体的な動作は前記キュー動作とほぼ同様であるので、ここでは省略する。
【００３０】
【発明が解決しようとする課題】
しかしながら、上記の従来の構成では、メモリ３７０に対する誤り訂正部１５からのデータブロック書き込みと、メモリ３７０に対する伸張処理部１８へのデータブロック読み出しは、メモリ３７０の単一面に対して並行して実行される。その時、メモリ３７０に対する誤り訂正部１５からのデータブロック書き込みは、図６を用いて説明した通り、磁気テープ１１をヘッド１４ａおよび１４ｂがスキャンした順に行われ、メモリ３７０に対する伸張処理部１８へのデータブロック読み出しは、図７を用いて説明した通り、書き込みとは異なる順に行われるので、その相互関係により、図８のＣからＤの間におけるメモリ３７０の状態は図９に示した通り斜め方向に揃って更新されるにも関わらず、図８のＤのタイミングでの出力メモリ１９の状態は図１５に示した通りいびつな更新となり、出力画像もこれと同じくいびつな更新となり見苦しくなってしまうという問題点を有していた。
【００３１】
特開平９−７０００５号公報「高速再生装置」においても上記問題点について言及しているが、解決案として、キュー動作とリビュー動作の画質を同程度にするというところにとどまっている。
【００３２】
すなわち、高速再生する場合、磁気テープから読み出したデータブロックをメモリへ書き込む順番と、伸長するためにデータブロックをメモリから読み出す順番が異なる場合、出力画像が見苦しくなるという課題がある。
【００３３】
本発明は、上記課題を考慮し、磁気テープから読み出したデータブロックをメモリへ書き込む順番と、伸長するためにデータブロックをメモリから読み出す順番が異なっていても、見やすい高速再生画像を得ることが出来るディジタル画像再生装置、および記録媒体を提供することを目的とする。
【００３４】
【課題を解決するための手段】
上述した課題を解決するために、第１の本発明（請求項１に対応）は、データ処理単位であるデータブロック単位で画像データを記録しているテープ媒体から前記データブロックを読み出して特殊再生を行うディジタル画像再生装置であって、
論理的に少なくとも２つの面に分割してアクセスされるメモリと、
特殊再生に用いる前記データブロックを前記テープ媒体から所定の順番に読み出して前記メモリのうち前記データブロックを格納するよう設定されている入力面に格納する読み出し手段と、
前記メモリのうち前記データブロックを読み出すよう設定されている出力面に格納されている前記データブロックを前記所定の順番とは異なった順番に読み出して復号する復号手段と、
前記出力面から読み出された前記データブロックの前記画像データの画像１フレームにおける位置と同位置に対応する、前記入力面に格納されている前記データブロックが既に前記復号手段によって読み出されている場合、前記出力面から読み出された前記データブロックを前記入力面に格納するメモリ管理手段とを備えたことを特徴とするディジタル画像再生装置である。
【００３５】
また、第２の本発明（請求項２に対応）は、前記データブロックは、前記画像データの画像１フレームを所定の規則に従って分割したものであり、
前記データブロックは、前記データブロックを識別し、前記データブロックの前記画像１フレームにおける位置に対応つけられている識別番号を有し、
前記メモリ管理手段は、前記識別番号を利用して、前記同位置に対応する、前記入力面に格納されている前記データブロックが既に復号手段によって読み出されているかどうかを判定することを特徴とする第１の本発明に記載のディジタル画像再生装置である。
【００３６】
また、第３の本発明（請求項３に対応）は、前記メモリ管理手段は、所定の周期毎に、前記メモリの面のうち、前記入力面と前記出力面の設定を更新し、
前記更新された後の前記出力面は、前記更新される前の前記入力面に設定し、前記更新された後の前記入力面は、前記更新される前の前記入力面以外の面に設定することを特徴とする第１または２の本発明に記載の記載のディジタル画像再生装置である。
【００３７】
また、第４の本発明（請求項４に対応）は、前記メモリの１つの面には、前記データブロックが１フレーム分格納され、
前記所定の周期は、１フレーム周期であることを特徴とする第３の本発明に記載のディジタル画像再生装置である。
【００３８】
また、第５の本発明（請求項５に対応）は、データ処理単位であるデータブロック単位で画像データを記録しているテープ媒体から前記データブロックを読み出して特殊再生を行うディジタル画像再生装置であって、
前記画像データの画像１フレームにおける各位置毎にその位置に対応する互いに異なったデータブロックを少なくとも２つの領域に格納するメモリと、
特殊再生に用いる前記データブロックを前記テープ媒体から所定の順番に読み出して、前記データブロックの前記画像１フレームの位置と同位置に対応する前記メモリの領域のうち、前記データブロックを格納するよう設定されている領域に読み出した前記データブロックを格納する読み出し手段と、
前記所定の順番とは異なった順番に前記メモリの領域のうち、前記データブロックを読み出すよう設定されている領域から前記データブロックを読み出して復号する復号手段と、
前記画像１フレームの同位置に対応する前記データブロックを格納している前記メモリの領域のうち、一方の領域から前記データブロックが読み出された場合、他方の領域のデータブロックが既に前記復号手段によって読み出されている場合、前記他方の領域を前記読み出し手段が格納する領域に設定し、前記一方の領域を前記復号手段が読み出す領域に設定するメモリ管理手段とを備えたことを特徴とするディジタル画像再生装置である。
【００３９】
また、第６の本発明（請求項６に対応）は、前記データブロックは、前記画像データの画像１フレームを所定の規則に従って分割したものであり、
前記データブロックは、前記データブロックを識別し、前記データブロックの前記画像１フレームにおける位置に対応付けられている識別番号を有し、
前記メモリ管理手段は、前記識別番号を利用して、前記設定を行うことを特徴とする第５の本発明に記載のディジタル画像再生装置である。
【００４０】
また、第７の本発明（請求項７に対応）は、前記メモリ管理手段は、所定の周期毎に前記画像１フレームの各位置毎に同位置に対応する前記データブロックが格納されている領域の前記設定を更新し、
前記更新された後の前記復号手段が読み出す領域は、前記更新される前の前記読み出し手段が格納する領域に設定し、
前記更新された後の前記読み出し手段が格納する領域は、前記更新される前の前記読み出し手段が格納する領域以外の領域に設定することを特徴とする第５または６の本発明に記載のディジタル画像再生装置である。
【００４１】
また、第８の本発明（請求項８に対応）は、前記メモリには、前記データブロックが２フレーム分格納され、
前記所定の周期は、１フレーム周期であることを特徴とする第７の本発明に記載のディジタル画像再生装置である。
【００４２】
また、第９の本発明（請求項９に対応）は、前記メモリ管理手段は、
前記画像１フレームの各位置毎に、その位置に対応する前記データブロックを格納する領域の前記設定を更新するための入力ポインタおよび出力ポインタと、その位置に対応する前記データブロックを格納する領域のうち、いずれの領域から前記データブロックを出力するかを示す第１の出力候補フラグおよび第２の出力候補フラグと、
その位置に対応する前記データブロックを格納する領域のうち、いずれの領域に前記データブロックを格納するかを示す入力候補フラグとを有し、
前記読み出し手段が前記データブロックに対応する前記画像１フレームの位置と同位置に対応する前記データブロックを格納する領域に格納する際、
前記メモリ管理手段は、前記入力候補フラグが示す領域を前記読み出し手段が格納する領域に設定し、
前記第１および第２の出力候補フラグのうち、前記入力ポインタが示す方の出力候補フラグに前記入力候補フラグが示す値をコピーし、
前記入力候補フラグが示す領域を、前記入力候補フラグが示す領域とは異なった領域に設定し、
前記復号手段が前記画像１フレームの同位置に対応する前記データブロックを格納している前記メモリの領域から前記データブロックを読み出す際、
前記メモリ管理手段は、前記第１および第２の出力候補フラグのうち、前記出力ポインタが示す出力候補フラグが示す領域を前記復号手段が読み出す領域に設定し、
前記第１および第２の出力候補フラグのうち、前記入力ポインタが示す出力候補フラグが示す領域に格納されている前記データブロックが既に読み出されいる場合、前記出力ポインタが示す出力候補フラグの値を前記入力ポインタが示す候補フラグにコピーすることを特徴とする第７または８の本発明に記載のディジタル画像再生装置である。
【００４３】
また、第１０の本発明（請求項１０に対応）は、前記メモリ管理手段は、前記第１および第２の出力候補フラグのうち、前記出力ポインタが示す出力候補フラグが示す領域を前記復号手段が読み出す領域に設定した時、
前記第１および第２の出力候補フラグのうち、前記入力ポインタが示す出力候補フラグが示す領域に格納されている前記データブロックがまだ読み出されいない場合、前記入力ポインタが示す候補フラグを更新しないことを特徴とする第９の本発明に記載のディジタル画像再生装置である。
【００４４】
また、第１１の本発明（請求項１１に対応）は、第１または第５の本発明のディジタル画像再生装置の手段の機能をコンピュータにより実行させるためのプログラムを担持した記録媒体であって、コンピュータにより処理可能なことを特徴とする記録媒体である。
【００４６】
上記本発明によれば、１フレーム期間におけるメモリへのデータブロックの入力順とメモリからのデータブロックの出力順が異なっていても、データブロックの入力順が反映された形でデータブロックをメモリから出力することができるので、高速再生動作時に、磁気テープをヘッドがスキャンした通り斜め方向に揃った画像の更新をし、見やすい高速再生画像を得ることができる。
【００４７】
また、上記本発明によれば、１フレーム期間におけるメモリへのデータブロックの入力順とメモリからのデータブロックの出力順が異なっていても、データブロックの入力順が反映された形でデータブロックをメモリから出力することができるので、高速再生動作時に、磁気テープをヘッドがスキャンした通り斜め方向に揃った画像の更新をし、見やすい高速再生画像を得ることができ、しかも、フラグにより間接的に入力面および出力面を決定していることにより、決まったシーケンス以外の面更新を行う動作、例えば、修整処理を含む通常速再生動作からでも画像が壊れることなく高速再生動作に移行することができる。
【００４８】
【発明の実施の形態】
以下、本発明の実施の形態について、図面を参照しながら説明する。
【００４９】
（実施の形態１）
図１は、実施の形態１におけるディジタル画像再生装置の構成を示すブロック図である。
【００５０】
磁気テープ駆動部１２は、通常速度あるいは高速度で磁気テープ１１を駆動する。
【００５１】
シリンダ１３に装着された１組のヘッド１４ａと１４ｂは、磁気テープ１１をスキャンして信号を再生する。ヘッド１４ａと１４ｂからの再生出力であるデータブロックは端子Ａを経て誤り訂正部１５に接続される。
【００５２】
誤り訂正部１５は、入力したデータブロックに対して誤り訂正処理を施し、訂正処理後のデータブロックと訂正結果を取り込み選択スイッチ１６に出力する。
【００５３】
取り込み選択スイッチ１６は、入力した訂正結果に応じて開閉し、信頼できる訂正結果をもつデータブロックのみを入力制御部１７１に出力する。
【００５４】
メモリ１７０は、画像２フレーム分に対応する容量をもつメモリであり、それぞれが画像１フレーム分に対応する容量をもつ２つの面（面１、面２）に分割してアクセスされる。
【００５５】
入力制御部１７１は、取り込み選択スイッチ１６が出力したデータブロックに対して、データブロックがもつ識別番号および面管理部１７５から入力した入力面よりアドレスを生成し、メモリ１７０にデータブロックを書き込む。また、出力制御部１７２から入力するデータブロックに対して、データブロックがもつ識別番号および面管理部１７５から入力した入力面よりアドレスを生成し、メモリ１７０にデータブロックを書き込む。
【００５６】
出力制御部１７２は、伸張処理部１８に出力するデータブロックがもつ識別番号および面管理部１７５から入力した出力面よりアドレスを生成し、メモリ１７０からデータブロックを読み出して伸張処理部１８に出力する。また、出力するデータブロックがもつ識別番号および面管理部１７５から入力した入力面に対応するデータブロックのメモリ１７０への入力情報を入出力管理部１７３より入力し、未出力のデータブロックの入力がないと判断した場合には、伸張処理部１８に出力するデータブロックを入力制御部１７１にも出力する。
【００５７】
入出力管理部１７３は、取り込み選択スイッチ１６から入力制御部１７１を経由してメモリ１７０の何れの面に何れの識別番号のデータブロックが入力されたか、伸張処理部１８へ出力制御部１７２を経由してメモリ１７０の何れの面から何れの識別番号のデータブロックが出力されたかという入出力管理情報を、入出力管理メモリ１７４に記憶して管理する。
【００５８】
面管理部１７５は、メモリ１７０の２つの面のうち、入力制御部１７１がアクセスする面すなわち入力面と、出力制御部１７２がアクセスする面すなわち出力面を、それぞれ別の面となるように管理し、それらを１フレーム周期毎に切り換える。
【００５９】
伸張処理部１８は、入力したデータブロックに対して伸張処理を施し、出力メモリ１９に書き込む。出力メモリ１９に一旦記憶されたデータは、端子Ｂから画像出力される。
【００６０】
以上のように構成された本発明の実施の形態１におけるディジタル画像再生装置について、まずその磁気テープ１１上の記録形態を説明し、次にその動作に関して、キュー動作について順次説明する。
【００６１】
本実施の形態においても、従来例と同様に磁気テープ１１の記録形態はＤＶフォーマットに基づくものであり、図２の磁気テープ１１の記録形態を示す形状図、図３の１フレームの画面の構造を示す構造図、図４のデータ圧縮の形態を示す構造図、およびそれらを用いて説明される磁気テープ１１の記録形態と出力画像との対応関係については、従来例と全く同じであるので、ここでは説明を省略する。
【００６２】
次に、本実施の形態の動作として、キュー動作について説明する。いま、磁気テープ駆動部１２が磁気テープ１１を通常速度に対して９．５倍の速度で駆動しており、シリンダ１３の回転速度は通常再生の場合と同じ速度であるとする。
【００６３】
図５はキュー動作でのヘッドのテープスキャン軌跡を表しており、これは従来例と全く同じである。ヘッド１４ａの軌跡はシリンダ１３の半回転で描かれ、ヘッド１４ｂの軌跡は、それに続くシリンダ１３の半回転で描かれる。磁気テープ１１の駆動速度が９．５倍速であるから、ある一本のヘッド軌跡は９．５−１＝８．５本のトラックを横断することになり、また各スキャンの開始位置に当たるトラック番号は９．５−１０＝−０．５、即ち０．５ずつ小さくなることとなる。磁気テープ１１上のトラックは偶数番号のトラックはプラスアジマス角で、奇数番号のトラックはマイナスアジマス角でそれぞれ生成され、ヘッド１４ａはプラスアジマス角、ヘッド１４ｂはマイナスアジマス角を持つとすると、図５に示す２回のスキャンでは磁気テープ１１からハッチングで示した部分のデータブロックを再生することとなる。
【００６４】
誤り訂正部１５は、再生されたデータブロックを入力し、データブロック単位に誤り訂正処理を行い、訂正後のデータブロックを取り込み選択スイッチ１６へ送るとともに、訂正処理したデータブロックの処理後の信頼性が充分であれば取り込み選択スイッチ１６をオン状態とし、信頼性に欠けると判断すれば取り込み選択スイッチ１６をオフ状態とさせる。すなわち、誤り訂正処理を受けたデータブロックは、誤りのないもののみ取り込み選択スイッチ１６を経由して入力制御部１７１によりメモリ１７０の入力用に設定された面に記憶されていく。
【００６５】
このとき、図５に示した２回分のスキャンによる再生データブロックは、メモリ１７０上の入力用に設定された面に、従来例と同様に図６のハッチングで示された部分に格納される。
【００６６】
伸張処理部１８は、出力制御部１７２によりメモリ１７０の出力用に設定された面からデータブロックを順次読み出し、伸張処理を行い、伸張結果である画像データを出力メモリ１９へ転送する。出力メモリ１９から画像の２フィールド分の信号がインターレース定義に従い順次端子Ｂを経由して出力される。ここで、メモリ１７０の出力用に設定されている面は、１フレーム前にて入力用に設定されていた面である。
【００６７】
メモリ１７０からのデータブロック出力時に、入出力管理部１７３は入出力管理メモリ１７４に記憶されている入出力管理情報を参照し、出力するデータブロックと同じ識別番号をもつデータブロックがメモリ１７０の入力面側に新たに入力されていない場合、つまり入力面側に未出力のデータブロックがない場合には、伸張処理部１８に出力するデータブロックを入力制御部１７１にも出力する。
【００６８】
伸張処理部１８が出力制御部１７２によりメモリ１７０上の出力用に設定された面から読み出すデータブロックの順は、従来例と同様に図７に示された通りである。
【００６９】
画像出力フレームとヘッド１４ａ、１４ｂのスキャンのタイミング関係は従来例と同様であり、図８に示された通りである。図８で、伸張処理部１８が１フレーム分のデータをメモリ１７０の出力面から読み出している期間にヘッド１４ａとヘッド１４ｂはそれぞれ５回ずつ、合計１０回磁気テープ１１をスキャンしている。そのスキャンされたデータブロックは、誤り訂正部１５によりメモリ１７０の入力面へ記憶されていく。したがって、メモリ１７０に対する伸張処理部１８によるデータブロックの読み出しと、誤り訂正部１５のデータブロック書き込みは同時に並行して実行されている。
【００７０】
図８のＣの時点の直前におけるメモリ１７０の入力面の状態は、例えば図６に示したように磁気テープ１１上のフレーム番号０からフレーム番号１８の１９フレームに渡るデータブロックの斜め方向の組み合わせで構成されている。図８のＣの時点でメモリ１７０の入力面と出力面とが切り替わると、それまで入力面であった面が出力面に、それまで出力面であった面が入力面となり、この時点での直後における入力面の状態は、図９に示すような状態となっている。図９において、フレーム番号０よりも古いフレームのデータブロック部分をｏｌｄと表示している。図８のＣからＤの間に１０回のスキャンが行われ、１０回のスキャンを終えた図８のＤのタイミングまでに、新たに得られたフレーム番号１９からフレーム番号２８のデータブロックがメモリ１７０の入力面のフレーム番号０からフレーム番号８のデータブロックの位置に上書きされる形で記憶される。誤り訂正部１５から入力された部分以外のデータブロックは、伸張処理部１８にメモリ１７０の出力面からデータブロックが出力されるときにメモリ１７０の入力面に同データブロックが書き込まれる。したがって、図８のＤの時点の直前におけるメモリ１７０の入力面の状態は、古いフレームのデータブロックが残ってしまうようなことはなく、従来例における状態と同じく図１０に示したようにフレーム番号９からフレーム番号２８の２０フレーム分のデータブロックで構成されることとなる。図１０において、ハッチングを施された部分が図８のＣからＤの期間に磁気テープ１１から再生されたデータブロックに対応する部分である。ところで、メモリ１７０に対する誤り訂正部１５からのデータブロック書き込みは入力面に行われ、伸張処理部１８へのデータブロック読み出しは別の面である出力面から行われるので、出力しているデータブロックにその期間に入力しているデータブロックが混じるという従来例のようなことはなく、図８のＤのタイミングでの出力メモリ１９の状態は磁気テープ１１上のフレーム番号０からフレーム番号１８の１９フレームに渡るデータブロックをもとにした画像データの組み合わせで構成されることとなる。
【００７１】
図１１は、図８のＤのタイミングでの出力メモリ１９の状態を表す図である。図１１は、図３、図６および図１０と同じく画面の位置関係と対応させて作図しておく。図８のＣからＤの期間に磁気テープ１１から再生されたデータブロックに対応する部分はない。
【００７２】
上記のように、本実施の形態では、入力制御部１７１は、取り込み選択スイッチ１６あるいは出力制御部１７２から入力したデータブロックをメモリ１７０の指定された入力面に書き込む。出力制御部１７２は、伸張処理部１８に出力するデータブロックをメモリ１７０の指定された出力面から読み出すと同時に、同じ識別番号をもつ未出力のデータブロックが入力面側に入力されていない場合には伸張処理部１８に出力するデータブロックを入力制御部１７１にも出力する。入出力管理部１７３は、メモリ１７０のどの面にどの識別番号のデータブロックが入出力されたかという情報を入出力管理メモリ１７４に記憶する。
【００７３】
これにより、本実施の形態のディジタル画像再生装置は、１フレーム期間におけるメモリ１７０へのデータブロックの入力順とメモリ１７０からのデータブロックの出力順が異なっていても、データブロックの入力順が反映された形でデータブロックをメモリ１７０から出力することができるので、高速再生動作時に、磁気テープ１１をヘッド１４ａおよび１４ｂがスキャンした通り斜め方向に揃った画像の更新をし、見やすい高速再生画像を得ることができる。
【００７４】
なお、本実施の形態では、面管理部１７５による入力面および出力面の切り換えを１フレーム周期毎に行うとしたが、２フレーム以上の周期毎に行ってもよい。この場合、周期を長くするほど出力画像の更新はストロボ的なものとなる。
【００７５】
また、本実施の形態では、メモリ１７０の容量を２面（２フレーム分）としたが、２面以上であれば何面でもよい。３面以上の場合は、面管理部１７５による面の設定は、更新する入力面はそれまでの入力面以外の面、更新する出力面は更新前の入力面とする。
【００７６】
また、本実施の形態では、メモリ１７０と入出力管理メモリ１７４と出力メモリ１９とは別メモリとしたが、実体として、それぞれあるいは全てを一つのメモリに統合してももちろんよい。
【００７７】
また、本実施の形態では、磁気テープ駆動部１２による磁気テープ１１の駆動速度を９．５倍速としたが、この速度は本実施の形態の本質ではなく、何倍速であっても構わない。
【００７８】
なお、本実施の形態のメモリ１７０は本発明のメモリの例であり、本実施の形態のヘッド１４ａ、１４ｂと入力制御部１７１は本発明の読み出し手段の例であり、本実施の形態の出力制御部１７２と伸長処理部１８は本発明の復号手段の例であり、本実施の形態の入出力管理メモリ１７４、入出力管理部１７３、面管理部１７５は本発明のメモリ管理手段の例である。
【００７９】
このように本実施の形態によれば、１フレーム期間におけるメモリへのデータブロックの入力順とメモリからのデータブロックの出力順が異なっていても、データブロックの入力順が反映された形でデータブロックをメモリから出力することができる。これにより、高速再生動作時に、磁気テープをヘッドがスキャンした通り斜め方向に揃った画像の更新をし、見やすい高速再生画像を得ることができる。
【００８０】
（実施の形態２）
次に、実施の形態２について説明する。
【００８１】
図１２は、本実施の形態におけるディジタル画像再生装置の構成を示すブロック図である。
【００８２】
図１２において、図１と同一番号をふった、磁気テープ１１、磁気テープ駆動部１２、シリンダ１３、ヘッド１４ａおよび１４ｂ、誤り訂正部１５、取り込み選択スイッチ１６、メモリ１７０、入出力管理部１７３、入出力管理メモリ１７４、伸張処理部１８、出力メモリ１９は、実施の形態１における動作と同様であるので、ここでは説明を省略する。
【００８３】
入力制御部２７１は、取り込み選択スイッチ１６が出力したデータブロックに対して、データブロックがもつ識別番号および面管理部２７５から入力した入力面よりアドレスを生成し、メモリ１７０にデータブロックを書き込む。
【００８４】
出力制御部２７２は、伸張処理部１８に出力するデータブロックがもつ識別番号および面管理部２７５から入力した出力面よりアドレスを生成し、メモリ１７０からデータブロックを読み出して伸張処理部１８に出力する。
【００８５】
面管理部２７５は、識別番号と１対１に対応する面管理フラグを面管理メモリ２７６に記憶し、面管理フラグに対して入力ポインタおよび出力ポインタを発生することにより、入力制御部２７１がデータブロックをメモリ１７０に書き込む入力面と、出力制御部２７２がデータブロックをメモリ１７０から読み出す出力面とを管理する。入力ポインタおよび出力ポインタは、１あるいは２の値をとり、面管理部２７５はそれらを１フレーム周期毎に切り換える。識別番号が１３５０種類あるので、１３５０の面管理フラグが存在する。それぞれの面管理フラグは、入力面と、２つの出力候補面（出力候補面１、出力候補面２）とから構成されており、それぞれの値は１あるいは２の値をとる。２つの出力候補面は、出力候補面１が入力ポインタあるいは出力ポインタが１のときに、出力候補面２が入力ポインタあるいは出力ポインタが２のときに選択される。入力制御部２７１がデータブロックをメモリ１７０に書き込むときに、面管理部２７５は、そのデータブロックがもつ識別番号に対応する面管理フラグを面管理メモリ２７６から読み出し、面管理フラグ内の入力面の値を入力制御部２７１に出力し、面管理フラグ内の２つの出力候補面のうち、入力ポインタにより選択されたほうに入力面の値をコピーし、その後、入力面を違う値に更新して、面管理メモリ２７６に書き戻す。出力制御部２７２がデータブロックをメモリ１７０から読み出すときに、面管理部２７５は、そのデータブロックがもつ識別番号に対応する面管理フラグを面管理メモリ２７６から読み出し、面管理フラグ内の２つの出力候補面のうち、出力ポインタにより選択されたほうを出力面の値として出力制御部２７２に出力し、面管理フラグ内の入力面に対するメモリ１７０へのデータブロックの入力情報を入出力管理部１７３より出力制御部２７２を経由して入力し、未出力のデータブロックの入力がないと判断した場合には、面管理フラグ内の２つの出力候補面のうち、入力ポインタにより選択されたほうに出力ポインタにより選択されたほうの値をコピーし、面管理メモリ２７６に書き戻す。未出力のデータブロックの入力がない時点においては、面管理フラグ内の、入力面の値と、出力ポインタにより選択されるほうの出力候補面の値とは、必ず異なっている。
【００８６】
図１３は、本実施の形態における面管理フラグの処理を示す説明図である。図１３に示している説明図は、入力ポインタの値が２、出力ポインタの値が１の場合に関するものである。データブロック入力時、面管理メモリ２７６から読み出した面管理フラグにおいて、入力面の値ｃ、出力候補面１の値ｂ、出力候補面２の値ａはそれぞれ１あるいは２の値であり、ｃとｂとは異なる値となっている。面管理部２７５は、まず、入力面の値ｃを入力面として入力制御部２７１に出力する。次に、入力ポインタの値が２であるので、入力面の値ｃを出力候補面２にコピーする。次に、入力面の値をｃからｄに更新する。ここで、ｃの値が１であればｄの値は２、ｃの値が２であればｄの値は１となる。そして、面管理フラグを面管理メモリ２７６に書き戻す。一方、データブロック出力時、面管理メモリ２７６から読み出した面管理フラグにおいて、入力面の値ｃ、出力候補面１の値ｂ、出力候補面２の値ａはそれぞれ１あるいは２の値である。面管理部２７５は、出力ポインタの値が１であるので、出力候補面１の値ｂを出力面として出力制御部２７２に出力する。次に、入力面の値ｃの面に未出力のデータブロックの入力があるかどうかを入出力管理部１７３からの情報により判断し、あれば面管理フラグをそのまま面管理メモリ２７６に書き戻す。なければ、入力ポインタの値が２で出力ポインタの値が１であるので、出力候補面１の値ｂを出力候補面２にコピーしてから、面管理フラグを面管理メモリ２７６に書き戻す。
【００８７】
以上のように構成された本発明の実施の形態２におけるディジタル画像再生装置について、まずその磁気テープ１１上の記録形態を説明し、次にその動作に関して、キュー動作について順次説明する。
【００８８】
本実施の形態においても、従来例および実施の形態１と同様に磁気テープ１１の記録形態はＤＶフォーマットに基づくものであり、図２の磁気テープ１１の記録形態を示す形状図、図３の１フレームの画面の構造を示す構造図、図４のデータ圧縮の形態を示す構造図、およびそれらを用いて説明される磁気テープ１１の記録形態と出力画像との対応関係については、従来例および実施の形態１と全く同じであるので、ここでは説明を省略する。
【００８９】
次に、本実施の形態の動作として、キュー動作について説明する。いま、磁気テープ駆動部１２が磁気テープ１１を通常速度に対して９．５倍の速度で駆動しており、シリンダ１３の回転速度は通常再生の場合と同じ速度であるとする。
【００９０】
図５はキュー動作でのヘッドのテープスキャン軌跡を表しており、これは従来例および実施の形態１と全く同じである。ヘッド１４ａの軌跡はシリンダ１３の半回転で描かれ、ヘッド１４ｂの軌跡は、それに続くシリンダ１３の半回転で描かれる。磁気テープ１１の駆動速度が９．５倍速であるから、ある一本のヘッド軌跡は９．５−１＝８．５本のトラックを横断することになり、また各スキャンの開始位置に当たるトラック番号は９．５−１０＝−０．５、即ち０．５ずつ小さくなることとなる。磁気テープ１１上のトラックは偶数番号のトラックはプラスアジマス角で、奇数番号のトラックはマイナスアジマス角でそれぞれ生成され、ヘッド１４ａはプラスアジマス角、ヘッド１４ｂはマイナスアジマス角を持つとすると、図５に示す２回のスキャンでは磁気テープ１１からハッチングで示した部分のデータブロックを再生することとなる。
【００９１】
誤り訂正部１５は、再生されたデータブロックを入力し、データブロック単位に誤り訂正処理を行い、訂正後のデータブロックを取り込み選択スイッチ１６へ送るとともに、訂正処理したデータブロックの処理後の信頼性が充分であれば取り込み選択スイッチ１６をオン状態とし、信頼性に欠けると判断すれば取り込み選択スイッチ１６をオフ状態とさせる。すなわち、誤り訂正処理を受けたデータブロックは、誤りのないもののみ取り込み選択スイッチ１６を経由して入力制御部２７１によりメモリ１７０の入力用に設定された面に記憶されていく。
【００９２】
このとき、図５に示した２回分のスキャンによる再生データブロックは、メモリ１７０上の入力用に設定された面に、従来例と同様に図６のハッチングで示された部分に格納される。ここで、実際には入力面はデータブロックがもつ識別番号毎に面管理フラグから決定されるので、識別番号毎に入力面はバラバラであって、メモリ１７０上での配置もバラバラであるが、わかりやすいように入力面が全て同じであった場合を示している。
【００９３】
伸張処理部１８は、出力制御部２７２によりメモリ１７０の出力用に設定された面からデータブロックを順次読み出し、伸張処理を行い、伸張結果である画像データを出力メモリ１９へ転送する。出力メモリ１９から画像の２フィールド分の信号がインターレース定義に従い順次端子Ｂを経由して出力される。ここで、それぞれのデータブロックにおいて、面管理フラグにてメモリ１７０の出力用に設定されている面は、１フレーム前にて入力用に設定されていた面である。
【００９４】
伸張処理部１８が出力制御部２７２によりメモリ１７０上の出力用に設定された面から読み出すデータブロックの順は、従来例および実施の形態１と同様に図７に示された通りである。ここで、実際には出力面はデータブロックがもつ識別番号毎に面管理フラグおよび出力ポインタから決定されるので、識別番号毎に出力面はバラバラであって、メモリ１７０上での配置もバラバラであるが、わかりやすいように出力面が全て同じであった場合を示している。
【００９５】
画像出力フレームとヘッド１４ａ、１４ｂのスキャンのタイミング関係は従来例および実施の形態１と同様であり、図８に示された通りである。図８で、伸張処理部１８が１フレーム分のデータをメモリ１７０の出力面から読み出している期間にヘッド１４ａとヘッド１４ｂはそれぞれ５回ずつ、合計１０回磁気テープ１１をスキャンしている。そのスキャンされたデータブロックは、誤り訂正部１５によりメモリ１７０の入力面へ記憶されていく。したがって、メモリ１７０に対する伸張処理部１８によるデータブロックの読み出しと、誤り訂正部１５のデータブロック書き込みは同時に並行して実行されている。
【００９６】
図８のＣの時点までは、入力ポインタが１、出力ポインタが２であり、Ｃの時点にて入力ポインタと出力ポインタが切り替わり、Ｄの時点までは、入力ポインタが２、出力ポインタが１であり、Ｄの時点にて入力ポインタと出力ポインタが再度切り替わるとする。
【００９７】
Ｃの時点の直前におけるメモリ１７０のポインタ１に対する出力候補面１の状態は、Ｃの時点までの１フレームの間に入力されたデータブロックが反映されており、例えば図６に示したように磁気テープ１１上のフレーム番号０からフレーム番号１８の１９フレームに渡るデータブロックの斜め方向の組み合わせで構成されている。
【００９８】
Ｃの時点で入力ポインタと出力ポインタとが切り替わると、それまで入力面がコピーされていた出力候補面１が出力面、それまで出力面であった出力候補面２が入力面がコピーされる面となり、この時点での直後における出力候補面２の状態は、図９に示すような状態となっている。図９において、フレーム番号０よりも古いフレームのデータブロック部分をｏｌｄと表示している。
【００９９】
図８のＣからＤの間に１０回のスキャンが行われ、１０回のスキャンを終えたＤのタイミングまでに、新たに得られたフレーム番号１９からフレーム番号２８のデータブロックがメモリ１７０の入力面のフレーム番号０からフレーム番号８のデータブロックの位置に上書きされる形で記憶され、入力面が出力候補面２にコピーされる。誤り訂正部１５から入力された部分以外のデータブロックに対応する面管理フラグにおいては、伸張処理部１８にメモリ１７０の出力面、つまり出力候補面１からデータブロックが出力されるときに、出力候補面１が出力候補面２にコピーされる。
【０１００】
したがって、Ｄの時点の直前におけるメモリ１７０のポインタ２に対する出力候補面２の状態は、ＣからＤの１フレームの間に入力されたデータブロックが反映されているだけでなく、古いフレームのデータブロックが残ってしまうようなこともなく、従来例や実施の形態１における状態と同じく図１０に示したようにフレーム番号９からフレーム番号２８の２０フレーム分のデータブロックで構成されることとなる。図１０において、ハッチングを施された部分が図８のＣからＤの期間に磁気テープ１１から再生されたデータブロックに対応する部分である。
【０１０１】
ところで、図８のＣからＤの期間において、メモリ１７０に対する誤り訂正部１５からのデータブロック書き込みは入力面つまり出力候補面２に行われ、伸張処理部１８へのデータブロック読み出しは別の面である出力候補面１から行われるので、出力しているデータブロックにその期間に入力しているデータブロックが混じるという従来例のようなことはなく、図８のＤのタイミングでの出力メモリ１９の状態は磁気テープ１１上のフレーム番号０からフレーム番号１８の１９フレームに渡るデータブロックをもとにした画像データの組み合わせで構成されることとなる。
【０１０２】
図８のＤのタイミングでの出力メモリ１９の状態は、実施の形態１において示した図１１と同様となる。図８のＣからＤの期間に磁気テープ１１から再生されたデータブロックに対応する部分はない。
【０１０３】
上記のように、本実施の形態では、入力制御部２７１は、取り込み選択スイッチ１６から入力したデータブロックをメモリ１７０の指定された入力面に書き込む。出力制御部２７２は、伸張処理部１８に出力するデータブロックをメモリ１７０の指定された出力面から読み出す。入出力管理部１７１は、メモリ１７０のどの面にどの識別番号のデータブロックが入出力されたかという情報を入出力管理メモリ１７４に記憶する。面管理部２７５は、識別番号と１対１に対応する面管理フラグを面管理メモリ２７６に記憶し、面管理フラグに対して入力ポインタおよび出力ポインタを発生することにより、入力制御部２７１がデータブロックをメモリ１７０に書き込む入力面と、出力制御部２７２がデータブロックをメモリ１７０から読み出す出力面とを管理する。
【０１０４】
これにより、本実施の形態のディジタル画像再生装置は、１フレーム期間におけるメモリ１７０へのデータブロックの入力順とメモリ１７０からのデータブロックの出力順が異なっていても、データブロックの入力順が反映された形でデータブロックをメモリ１７０から出力することができるので、高速再生動作時に、磁気テープ１１をヘッド１４ａおよび１４ｂがスキャンした通り斜め方向に揃った画像の更新をし、見やすい高速再生画像を得ることができ、しかも、面管理フラグにより間接的に入力面および出力面を決定していることにより、決まったシーケンス以外の面更新を行う動作、例えば、修整処理を含む通常速再生動作からでも画像が壊れることなく高速再生動作に移行することができる。
【０１０５】
なお、本実施の形態では、面管理部２７５における入力ポインタおよび出力ポインタの切り換えを１フレーム周期毎に行うとしたが、２フレーム以上の周期毎に行ってもよい。この場合、周期を長くするほど出力画像の更新はストロボ的なものとなる。
【０１０６】
また、本実施の形態では、メモリ１７０の容量を２面（２フレーム分）としたが、２面以上であれば何面でもよい。３面以上の場合は、面管理フラグにおける入力面および出力候補面の値は面の数だけの値をもち、出力候補面の数も面の数だけもつ。面管理部２７５による面の設定では、更新する入力面はそれまでの入力面以外の面とする。また、更新する入力ポインタはそれまでの入力ポインタ以外の値、更新する出力ポインタは更新前の入力ポインタの値とする。
【０１０７】
また、本実施の形態では、メモリ１７０と入出力管理メモリ１７４と面管理メモリ２７６と出力メモリ１９とは別メモリとしたが、実体として、それぞれあるいは全てを一つのメモリに統合してももちろんよい。
【０１０８】
また、本実施の形態では、磁気テープ駆動部１２による磁気テープ１１の駆動速度を９．５倍速としたが、この速度は本実施の形態の本質ではなく、何倍速であっても構わない。
【０１０９】
このように、本実施の形態のよれば、１フレーム期間におけるメモリへのデータブロックの入力順とメモリからのデータブロックの出力順が異なっていても、データブロックの入力順が反映された形でデータブロックをメモリから出力することができる。また、面管理フラグにより間接的に入力面および出力面を決定している。これにより、高速再生動作時に、磁気テープをヘッドがスキャンした通り斜め方向に揃った画像の更新をし、見やすい高速再生画像を得ることができ、しかも、決まったシーケンス以外の面更新を行う動作、例えば、修整処理を含む通常速再生動作からでも画像が壊れることなく高速再生動作に移行することができる。
【０１１０】
なお、本実施の形態のメモリ１７０は本発明のメモリの例であり、本実施の形態のヘッド１４ａ、１４ｂ、入力制御部２７１は本発明の読み出し手段の例であり、本実施の形態の出力制御部２７２、伸長処理部１８は本発明の復号手段の例であり、本実施の形態の入出力管理メモリ１７４、入出力管理部１７３、面管理部２７５、面管理メモリ２７６は本発明のメモリ管理手段の例であり、本実施の形態の出力候補面１は本発明の第１の出力候補フラグの例であり、本実施の形態の出力候補面２は本発明の第２の出力候補フラグの例であり、本実施の形態の入力面は本発明の入力候補フラグの例である。
【０１１１】
さらに、本発明の第１の出力候補フラグは本実施の形態における出力候補面１のように、メモリ１７４のデータブロックが格納されている領域を１または２の値を取るフラグで示すものに限らない。メモリ１７４のデータブロックが格納されている領域のアドレスを保持するなど、要するに本発明の第１の出力候補フラグは読み出すべきデータブロックが格納されている領域を示すものでありさえすればよい。
【０１１２】
さらに、本発明の第２の出力候補フラグは本実施の形態における出力候補面２のように、メモリ１７４のデータブロックが格納されている領域を１または２の値を取るフラグで示すものに限らない。メモリ１７４のデータブロックが格納されている領域のアドレスを保持するなど、要するに本発明の第２の出力候補フラグは読み出すべきデータブロックが格納されている領域を示すものでありさえすればよい。
【０１１３】
さらに、本発明の入力候補フラグは本実施の形態における入力候補面のように、メモリ１７４のデータブロックが格納されている領域を１または２の値を取るフラグで示すものに限らない。メモリ１７４のデータブロックが格納されている領域のアドレスを保持するなど、要するに本発明の第２の出力候補フラグはデータブロックを格納すべき領域を示すものでありさえすればよい。
【０１１４】
さらに、本発明のメモリ管理手段は本実施の形態における入出力管理メモリ１７４、入出力管理部１７３、面管理部２７５、面管理メモリ２７６のように入力ポインタ、出力ポインタ、出力候補面１、出力候補面２、入力面を用いてメモり１７０を管理するものに限らず、入力ポインタおよび出力ポインタのいずれか一方のみを有するものなど、要するに本発明のメモリ管理手段は、画像１フレームの同位置に対応する前記データブロックを格納している前記メモリの領域のうち、一方の領域から前記データブロックが読み出された場合、他方の領域のデータブロックが既に前記復号手段によって読み出されている場合、前記他方の領域を前記読み出し手段が格納する領域に設定し、前記一方の領域を前記復号手段が読み出す領域に設定し、所定の周期毎に前記画像１フレームの各位置毎に同位置に対応する前記データブロックが格納されている領域の前記設定を更新し、前記更新された後の前記復号手段が読み出す領域は、前記更新される前の前記読み出し手段が格納する領域に設定し、前記更新された後の前記読み出し手段が格納する領域は、前記更新される前の前記読み出し手段が読み出す領域以外の領域に設定すしさえすればよい。
【０１１５】
さらに、本発明のディジタル画像再生装置の全部または一部の手段の全部または一部の機能をコンピュータにより実行させるためのプログラム及び／またはデータを担持した媒体であって、コンピュータにより処理可能なことを特徴とする媒体も本発明に属する。
【０１１７】
さらに、本発明は、上述した本発明の画像再生装置の全部または一部の手段の全部または一部の機能をコンピュータにより実行させるためのプログラム及び／またはデータを担持した媒体であり、コンピュータにより読み取り可能且つ、読み取られた前記プログラム及び／またはデータが前記コンピュータと協動して前記機能を実行する媒体である。
【０１１９】
さらに、本発明のデータとは、データ構造、データフォーマット、データの種類などを含む。
【０１２０】
さらに、本発明の媒体とは、ＲＯＭ等の記録媒体、インターネット等の伝送媒体、光・電波・音波等の伝送媒体を含む。
【０１２１】
さらに、本発明の担持した媒体とは、例えば、プログラム及び／またはデータを記録した記録媒体、やプログラム及び／またはデータを伝送する伝送媒体等を含む。
【０１２２】
さらに、本発明のコンピュータにより処理可能とは、例えば、ＲＯＭなどの記録媒体の場合であれば、コンピュータにより読みとり可能であることであり、伝送媒体の場合であれば、伝送対象となるプログラム及び／またはデータが伝送の結果として、コンピュータにより取り扱えることであることを含む。
【０１２４】
さらに、以上説明した様に、本発明の構成は、ソフトウェア的に実現しても良いし、ハードウェア的に実現しても良い。
【０１２５】
【発明の効果】
以上説明したところから明らかなように、本発明は、磁気テープから読み出したデータブロックをメモリへ書き込む順番と、伸長するためにデータブロックをメモリから読み出す順番が異なっていても、見やすい高速再生画像を得ることが出来るディジタル画像再生装置、および記録媒体を提供することが出来る。
【図面の簡単な説明】
【図１】本発明の実施の形態１におけるディジタル画像再生装置の構成を示すブロック図である。
【図２】ＤＶフォーマットに基づく磁気テープの記録形態を示す形状図である。
【図３】ＤＶフォーマットに基づく１フレームの画面の構造を示す構造図である。
【図４】ＤＶフォーマットに基づく５個のマクロブロックから構成されるビデオセグメントの中でのデータ圧縮の形態を示す構造図である。
【図５】本発明の実施の形態１および実施の形態２および従来例におけるキュー動作でのヘッドのテープスキャン軌跡図である。
【図６】本発明の実施の形態１および実施の形態２および従来例におけるキュー動作時にメモリに記憶されるデータブロックの分布図である。
【図７】本発明の実施の形態１および実施の形態２および従来例における伸張処理部がメモリから読み出すデータブロックの順を示す図である。
【図８】本発明の実施の形態１および実施の形態２および従来例における画像出力フレームとヘッドのスキャンのタイミング関係を示すチャート図である。
【図９】本発明の実施の形態１および実施の形態２における図８のＣのタイミングでのメモリの入力面の状態を表す図である。
【図１０】本発明の実施の形態１および実施の形態２および従来例における図８のＤのタイミングでのメモリの状態を表す図である。
【図１１】本発明の実施の形態１および実施の形態２における図８のＤのタイミングでの出力メモリの状態を表す図である。
【図１２】本発明の実施の形態２におけるディジタル画像再生装置の構成を示すブロック図である。
【図１３】本発明の実施の形態２における面管理フラグの処理を示す説明図である。
【図１４】従来例におけるディジタル画像再生装置の構成を示すブロック図である。
【図１５】従来例における図８のＤのタイミングでの出力メモリの状態を表す図である。
【符号の説明】
１１    磁気テープ
１２    磁気テープ駆動部
１３    シリンダ
１４ａ  ヘッド
１４ｂ  ヘッド
１５    誤り訂正部
１６    取り込み選択スイッチ
１７０  メモリ
１７１  入力制御部
１７２  出力制御部
１７３  入出力管理部
１７４  入出力管理メモリ
１７５  面管理部
１８    伸張処理部
１９    出力メモリ
２７６  面管理メモリ
【図１】
0003805190.tif 000002
【図２】
0003805190.tif 000003
【図３】
0003805190.tif 000004
【図４】
0003805190.tif 000005
【図５】
0003805190.tif 000006
【図６】
0003805190.tif 000007
【図７】
0003805190.tif 000008
【図８】
0003805190.tif 000009
【図９】
0003805190.tif 000010
【図１０】
0003805190.tif 000011
【図１１】
0003805190.tif 000012
【図１２】
0003805190.tif 000013
【図１３】
0003805190.tif 000014
【図１４】
0003805190.tif 000015
【図１５】
0003805190.tif 000016